(57)【要約】【課題】重複した重複材料の製造方法と、その方法により作られた包装紙を備えたパックとを提供する。【解決手段】紙巻きたばこの箱用の透明な包装紙は、以下のようにして作られる。重複材料（１）のストリップを所定の方向（Ａ）に供給通路に沿って前進させ、供給方向に対して横断的に延在している一連のスリット（４）を形成し、そして細いリボン（７）を重複材料（１）に接着させる。続いて重複材料はブレード（１２）によりＵ字形ノッチ（１０）を形成され、リボン（７）の端部にタブ（１１）が形成され、そして紙葉（１３）に切断される。紙葉は包装紙として使用され、リボンを引いて引き裂くと、二つの破断線が形成され包装紙の除去が容易になっている。【選択図】図１
2007261689.tif 000002
【特許請求の範囲】
【請求項１】
重複材料の製造方法であって：
重複材料（１）の連続的なストリップを所定の供給方向（Ａ）における所定の供給通路（Ｐ）に沿って前進させる段階と；
前記供給方向（Ａ）を横断する幾何学的要素を有している少なくとも一つのスリット又は切り込み（４）を作るように、前記重複材料（１）のストリップの所定区画（２）を加工する段階と；
前記所定区画（２）に沿って前記重複材料（１）のストリップに、幅の狭いリボン（７）を接着させる段階と；
を含んでいることを特徴とする、重複材料の製造方法。
【請求項２】
幅の狭い前記リボン（７）を接着させる段階に先立って、少なくとも一つのスリット（４）を作る段階が行なわれる、請求項１に記載の製造方法。
【請求項３】
前記リボン（７）を接着させる前記段階の後で、前記重複材料（１）のストリップの前記所定区画（２）に少なくとも一つのＵ字形ノッチ（１０）を作る段階を含んでいる、請求項１又は２に記載の製造方法。
【請求項４】
幅の狭い前記リボン（７）を接着させる前記段階が、前記少なくとも一つのスリット（４）の一部分（４ａ）に一致するように前記リボン（７）を置く段階を含んでいる、請求項１〜３のいずれか一項に記載の製造方法。
【請求項５】
幅の狭い前記リボン（７）を接着させる前記段階が、前記少なくとも一つのスリット（４）に沿って前記リボン（７）を置く段階を含んでいる、請求項１〜３のいずれか一項に記載の製造方法。
【請求項６】
前記少なくとも一つのスリット（４）を作る前記段階が、幅の狭い前記リボン（７）の長手方向に対して直角に前記スリット（４）を置く段階を含んでいる、請求項１〜３のいずれか一項に記載の製造方法。
【請求項７】
前記少なくとも一つのスリット（４）を作る前記段階が、幅の狭い前記リボン（７）の長手方向に対して傾斜した角度で前記スリット（４）を置く段階を含んでいる、請求項１〜５のいずれか一項に記載の製造方法。
【請求項８】
前記少なくとも一つのスリット（４）を作る前記段階が、頂部（９）を備えたＶ字形のスリット（４）を形成する段階を含んでいて、前記頂部（９）をおおって前記リボン（７）が接着されている、請求項１〜５のいずれか一項に記載の製造方法。
【請求項９】
Ｖ字形の前記少なくとも一つのスリット（４）は、前記頂部（９）が幅の狭い前記リボン（７）の引き裂き方向（Ｂ）に一致する方向に向くように配置されている、請求項８に記載の製造方法。
【請求項１０】
Ｖ字形の前記少なくとも一つのスリット（４）は、前記頂部（９）が幅の狭い前記リボン（７）の引き裂き方向（Ｂ）と対向する方向に向くように配置されている、請求項８に記載の製造方法。
【請求項１１】
前記重複材料のストリップの前記所定区画（２）に一連のスリット（４）を作る段階を含んでいる、請求項１〜１０のいずれか一項に記載の製造方法。
【請求項１２】
前記少なくとも一つのＵ字形ノッチ（１０）を作る前記段階に続いて、前記重複材料のストリップ（１）を個々の紙葉（１３）に分割し、そして前記紙葉（１３）をオーバラップユニットへ供給する段階とをさらに含んでいる、請求項３〜１１のいずれか一項に記載の製造方法。
【請求項１３】
幅の狭い前記リボン（７）を接着する前記段階に続いて、オーバラップユニットに使用するためのリールに前記重複材料のストリップを巻き取る段階を含んでいる、請求項２〜１１のいずれか一項に記載の製造方法。
【請求項１４】
保護用の包装紙（１６）を備えたパックであって、前記包装紙（１６）が重複材料（１）の紙葉と、前記重複材料（１）の所定区画（２）に接着された幅の狭いリボン（７）とにより構成されている、パックにおいて：
前記包装紙（１６）が、少なくとも一つのスリット（４）を提供していて、前記少なくとも一つのスリット（４）は前記重複材料（１）の前記所定区画（２）に作られており、そして幅の狭い前記リボン（７）の長手方向を横断している幾何学的要素を有していることを特徴とする、
パック。
【請求項１５】
前記少なくとも一つのスリット（４）がほぼ直線状である、請求項１４に記載のパック。
【請求項１６】
前記リボン（７）が、前記少なくとも一つのスリット（４）の両端部（４ｂ）の間に位置する中央部分（４ａ）をおおって置かれている、請求項１５に記載のパック。
【請求項１７】
前記リボン（７）が、前記少なくとも一つのスリット（４）の一方の端部（４ｂ）をおおって置かれている、請求項１５に記載のパック。
【請求項１８】
前記スリット（４）が、前記リボン（７）の横に位置している、請求項１５に記載のパック。
【請求項１９】
前記少なくとも一つのスリット（４）が、前記リボン（７）の長手方向に対して直角に延在している、請求項１４〜１８のいずれか一項に記載のパック。
【請求項２０】
前記少なくとも一つのスリット（４）が、前記リボン（７）の長手方向に対して傾斜した角度で延在している、請求項１４〜１８のいずれか一項に記載のパック。
【請求項２１】
前記少なくとも一つのスリット（４）が、頂部（９）を備えたＶ字形形状であって、幅の狭い前記リボン（７）が前記頂部（９）をおおって置かれている、請求項１４に記載のパック。
【請求項２２】
前記少なくとも一つのスリット（４）の前記頂部（９）が前記リボンの引き裂き方向（Ｂ）と一致する方向を向いている、請求項２１に記載のパック。
【請求項２３】
前記少なくとも一つのスリット（４）の前記頂部（９）が前記リボンの引き裂き方向（Ｂ）と対向する方向を向いている、請求項２１に記載のパック。
【請求項２４】
外面の前記包装紙（１６）がＵ字形のノッチ（１０）を提供していて、前記Ｕ字形のノッチ（１０）は前記重複材料（１）の前記所定区画（２）に作られていて、そして前記包装紙（１６）を引き裂くためにつかんで引くことのできるように前記リボン（７）の一方の端部にタブ（１１）を形成している、請求項１４〜２３のいずれか一項に記載のパック。
【請求項２５】
前記包装紙（１６）が一連のスリット（４）を備えていて、前記スリット（４）は前記重複材料のストリップの所定区画（２）に作られ、そしてお互いに離間している、請求項１４〜２４のいずれか一項に記載のパック。
【請求項２６】
請求項１４〜２５のいずれか一項に記載のパック（１５）を備えていることを特徴とする、紙巻きたばこの箱。
【発明の詳細な説明】
【技術分野】
【０００１】
本発明は重複材料の製造方法及びその製造方法により作られた重複材料でおおわれたパックに関する。
【０００２】
詳しくは、本発明はたばこ製品、特に紙巻きたばこの箱用のパックに関するものであって、このタイプのものを例にして説明を行なうが、これに限定されるものではない。
【背景技術】
【０００３】
従来の紙巻たばこの箱は保護用の外面の包装紙を備えていて、その包装紙は透明で熱収縮性の材料であり、一般に重複材料（ｏｖｅｒｗｒａｐ  ｍａｔｅｒｉａｌ）と呼ばれている。
【０００４】
包装機は、一連のパック各々を重複材料に包み、続いてその重複材料に熱を作用しパックの外面に対して収縮させる。
【０００５】
外面の包装紙は、いわゆる幅のせまい引き裂きテープ又は引きはがしリボンを組み込んでいて、パックを開こうとする場合、それを用いて外面の包装紙を簡単かつ迅速に破くことができるようになっている。
【０００６】
前述の包装紙、リボンはロールから連続的にほどかれ、溶接又は接着により接着され、重複材料のストリップに形成され所定の供給方向に連続的に移動してゆく。
【０００７】
一連のＵ字形ノッチが重複材料に形成され、リボンの列に沿って位置決めされてゆく。各ノッチは、リボンの一方の端部を自由端とし、従ってタブを形成していて、そのタブはパックを容易に開くためにつかまれ引かれる。
【０００８】
続いて、リボンを接着された包装材料のストリップが個々の紙葉に切断され、そして包装機に供給される。
【０００９】
完成したパック周囲に位置決めされた包装紙を用いて、リボンが重複材料の内側で、すべての側面における端部の一方に隣接した外周囲に位置決めされ、重複材料が長手方向に引き裂くことができるようになっている。
【００１０】
紙巻きたばこの箱の場合、リボンは端面の最上部近くに位置され、従って引き裂き線に沿って引くと、包装紙は二つの部分に分割され：小さな部分が端面をおおっていて、大きな部分が紙巻きたばこの箱の主ボデーをおおっている。
【００１１】
この状態で、リボンにより引き裂かれた後に、それらを完全に取り除くためには包装紙の二つの部分を、力まかせに引きはがさねばならない。実際のところ、重複材料が熱収縮によりパックの外面に対してぴったりと接触しているので、引きはがすのは困難である。
【００１２】
従って、大きな部分を除去するためにはさらに手で引き裂くか切断する必要があり、パックを損傷することになる。
【発明の開示】
【発明が解決しようとする課題】
【００１３】
本発明の目的は、重複材料の製造方法及びその製造方法により作られた簡単に除去することのできる材料を備えたパックを提供することである。
【課題を解決するための手段】
【００１４】
前述の目的は、請求項１−１３のいずれか一項に記載の特徴を備えた重複材料の製造方法により達成されている。
【００１５】
前述の目的は、請求項１４〜２６のいずれか一項に記載の特徴を備えた保護用の包装紙を有しているパックにおいて達成されている。
【００１６】
添付図を参照し、例を用いて本発明を詳述する。
【発明を実施するための最良の形態】
【００１７】
図１は、本発明における重複材料１の製造方法に関するものである。
【００１８】
第一段階において、好ましくは透明で熱収縮性の重複材料１の連続ストリップが、所定の方向“Ａ”における所定の供給通路“Ｐ”に沿って前進されている。
【００１９】
次段階において、前述の方向“Ａ”を横断している幾何学的要素を有している、少なくとも一つのスリット又は切り込み４が、前進しているストリップ１の所定区画２に備えられる。
【００２０】
その段階において、適切な切断手段又は打ち抜き手段５によりそのようなスリット４が連続的に作り出されていて、その打ち抜き手段５は、ブレード６を担持している主ローラ５ａと、マッチングアンビルローラ５ｂとからなる。二つのローラ５ａ及び５ｂは、前述の供給方向“Ａ”に対し横断して延伸しているそれぞれの軸周囲でお互いに逆回転するようになっている。
【００２１】
ブレード６はスリット４の形状により選択された外形を有していて、主ローラ５ａの各回転毎に、アンビルローラ５ｂを打撃し、各ストローク毎にスリット４を作り出している。
【００２２】
その後幅の狭いリボン７が重複材料１のストリップに当てられ；リボン７はロール８からほどかれ導入ローラ８ａの下流側に、供給通路“Ｐ”に平行な通路“Ｐ１”に沿って連続的に導入され、供給方向“Ａ”と平行に整列して前述のストリップの区画２に接着される。
【００２３】
例示したように、リボン７は、従来の超音波式溶接ユニット３を用いて接着される。詳述はしない。
【００２４】
スリット４はリボン７に接着される前に切り込まれているので、リボンは同一のスリットに対して位置決めすることができる。
【００２５】
図１〜３において、リボン７はスリット４の中央部分４ａをおおって置かれるので、スリットの両端部４ｂそれぞれはリボン７に関して反対側に位置することになる。
【００２６】
代りに、リボン７は、図４に図示するようにスリット４の端部４ｂの一方をおおって置かれていて、この場合スリットはお互いにたがい違いになっているか、又は区画２の部分においてスリット４に隣接しているけれど完全に一致していない。
【００２７】
図１の例において、スリット４はお互いに平行に切り込まれていてほぼ直線状であって、供給方向“Ａ”に対し及びリボン７の長手方向に対して直角に延伸している。
【００２８】
図２及び３の例において、スリット４はお互いに平行に切り込まれていて、リボン７の長手方向に対して傾斜した角度となっている。
【００２９】
図４に図示するように、スリット４はお互いにリボン７に関して反対側にたがい違いになっていてもよい。
【００３０】
図５及び６は別の例を図示していて、スリット４はＶ字形になっていて、各Ｖ字形の頂部９がリボンの列と一致している。
【００３１】
Ｖ字形スリット４は、図５に図示するように、頂部９が細いリボン７の引き裂き方向“Ｂ”に沿って向くように配置されていてもよい。代りに、Ｖ字形スリット４は、図６に図示するように、頂部９がリボン７の引き裂き方向“Ｂ”の反対方向を向くように配置されていてもよい。
【００３２】
リボン７を重複材料１のストリップに接着する段階の後に、ストリップの前述した区画にＵ字形ノッチ１０を形成する段階が続く。
【００３３】
Ｕ字形ノッチ１０は事前に切り込まれた二つの連続するスリット４の間に位置していて、リボン７の端部の一方にプルタブ１１を形成するようになっており、以下に説明する。一連のＵ字形ノッチ１０は従来形のブレード１２（図示せず）により形成され、リボン７が横断方向に切り込まれる。
【００３４】
Ｕ字形ノッチ１０が切り込まれた後に、図１に図示するように、重複材料１のストリップが個々の長さに分割され、又は紙葉１３に分割され、続いてオーバラップユニットに供給されている。なおオーバラップユニットは従来形のものであって本発明においては付随的なものであり図示していない。
【００３５】
重複材料１のストリップを紙葉に分割する段階は、それぞれのブレード１４ａを備えたお互いに反対方向に回転する一対のカッタローラ１４により行なわれる。ローラ１４により切断された各紙葉１３は一連のスリットと一つのＵ字形ノッチ１０を備えている。
【００３６】
代りに、Ｕ字形ノッチ１０が切り込まれた後に、重複材料１のストリップは、オーバラップユニットに使用するためのリール（図示せず）に巻き取られてもよい。
【００３７】
前述に方法により得られた重複材料１は、図７及び８に図示したタイプのパック１５に使用される。
【００３８】
これに限定するものではないが、詳しくは、図７及び８におけるパック１５は、紙巻きたばこの箱により構成されていて、重複材料１が紙巻きたばこの箱の周囲に保護用の外面の包装紙１６を提供している。
【００３９】
包装紙１６は、パック１５の一方の端部の外周囲を囲んで延在している前述したリボン７を備えている。さらに、リボン７はそれ自身の長手方向に平行に延伸している引き裂き方向“Ｂ”に沿って配置されていて、パック１５の長手方向に対して横断する面となっている。
【００４０】
図８に図示するように、包装紙１６は手でリボン７のタブ１１をつかんで引っぱることにより開くことができる。このことにより、リボン７が重複材料１を前述の引き裂き方向“Ｂ”に沿ってスリット４に達するまで破るようになっている。図７においてリボン７に直交しているスリット４はこの点において、リボン７の列から両側に分離され分岐された二つの新しい破断線１７を作り出している。
【００４１】
リボン７が引かれると、破断線１７は包装紙１６全体が引き裂き方向“Ｂ”に横断する方向に容易に引き裂かれるようにしていて、重複材料１を完全に除去することが容易になっている。
【００４２】
図５及び６に図示するＶ字形スリット４の場合、二つの破断線１７が形成され、リボンの両側に付加物１８を作り出し、そこから包装紙１６がパック１５の端部に向けて端面を囲む外周囲で引き裂けるようになっている。
【００４３】
図７及び８に図示する包装紙１６はただ一つのスリット４を備えているけれども、パック１５のサイズに応じて重複材料１の除去を容易にするためにいずれの数のスリット４が備えられていてもよい。
【００４４】
自明のことであるが、パック１５はリボン７で引き裂かれてしまうと、包装紙１６から引き出す必要はない。実際のところ、リボン７を引っぱることにより破断線１７が形成され、包装紙１６を完全に引き裂くことが可能になり、重複材料がパック１５の外面に詰まるようなことはない。従ってパック１５は、外表面にまとわりつく重複材料１の部分を除去しようとする際に生じるかも知れないいずれの損傷をももたらさない。
【図面の簡単な説明】
【００４５】
【図１】図１は、本発明における重複材料の準備段階を図示する斜視図である。
【図２】図２は、図１における上から見た実施形態の一つを図示している。
【図３】図３は、図１における上から見た実施形態の一つを図示している。
【図４】図４は、図１における上から見た実施形態の一つを図示している。
【図５】図５は、図１における上から見た実施形態の一つを図示している。
【図６】図６は、図１における上から見た実施形態の一つを図示している。
【図７】図７は、重複材料で包装された紙巻きたばこの箱の斜視図である。
【図８】図８は、重複材料で包装された紙巻きたばこの箱の斜視図であって、重複材料を破いているものである。
【符号の説明】
【００４６】
１    重複材料
４    スリット
７    リボン
１０    Ｕ字形ノッチ
１１    タブ
１６    包装紙
【図１】
2007261689.tif 000003
【図２】
2007261689.tif 000004
【図３】
2007261689.tif 000005
【図４】
2007261689.tif 000006
【図５】
2007261689.tif 000007
【図６】
2007261689.tif 000008
【図７】
2007261689.tif 000009
【図８】
2007261689.tif 000010